(57)【要約】【課題】 大容量の掃除機に使用される集塵筒に把手を備え、集塵筒の密閉時、自動で収納位置に戻ることができるように構造が改善された自動戻り把手を有する集塵筒及びこれを備えた掃除機を提供する。【解決手段】 上記のような目的を達成するための本発明に係る自動戻り把手を有する集塵筒は、集塵筒本体と、集塵筒本体に回動自在に取り付けられる把手と、把手の回動時、把手が摺動することで把手を回動軸方向に弾性変形させるガイド傾斜部と、ガイド傾斜部に設けられ、把手の回動角度を規制する固定リブと、を含む。【選択図】   図３
2005081142.tif 000002
【特許請求の範囲】
【請求項１】
集塵筒本体と、
前記集塵筒本体に回動自在に取り付けられる把手と、
前記把手の回動時、前記把手が摺動することで前記把手を回動軸方向に弾性変形させるガイド傾斜部と、
前記ガイド傾斜部に設けられ、前記把手の回動角度を規制する固定リブと、
を含むことを特徴とする集塵筒。
【請求項２】
前記集塵筒は、透明材質からなることを特徴とする請求項１に記載の集塵筒。
【請求項３】
前記集塵筒は、シリンダー状をなす掃除機本体の内周面に対応する直径を有する第１の筒部と、前記第１の筒部と段付けされてなり、底面の面積が前記第１の筒部の開口した上面の面積より小になるように形成される第２の筒部を含むことを特徴とする請求項１に記載の集塵筒。
【請求項４】
前記第２の筒部は、その底面に使用者が把持可能な凹み溝部を含むことを特徴とする請求項３に記載の集塵筒。
【請求項５】
前記把手は、その両端が一部折り曲げられて回動軸をなすことを特徴とする請求項１に記載の集塵筒。
【請求項６】
前記把手は、前記集塵筒の外周面に対応する形状に折り曲げられてなるワイヤ部材であることを特徴とする請求項１に記載の集塵筒。
【請求項７】
掃除機本体と、
前記掃除機本体に着脱自在に収められ、一方に延長管に連結される吸込ポートを備えた上面が開口した集塵筒と、
前記集塵筒に回動自在に取り付けられる把手と、
前記把手の回動時、前記把手が摺動することで前記把手を回動軸方向に弾性変形させるガイド傾斜部と、
前記ガイド傾斜部に設けられ、前記把手の回動角度を規制する固定リブと、
前記集塵筒の開口した上面を塞ぐ密閉蓋体と、
を含むことを特徴とする掃除機。
【請求項８】
前記掃除機本体は、前記集塵筒が収められる収め部と、掃除機の外部を貫通してなるごみ確認窓を含むことを特徴とする請求項７に記載の掃除機。
【請求項９】
前記密閉蓋体は、前記掃除機本体に設けられた吸込モーターに一端が連結され、他端は前記集塵筒の開口部に連結され、その内部にフィルター部を備え、ごみが前記フィルター部で捕捉されて前記集塵筒に捕集されることを特徴とする請求項７に記載の掃除機。
【請求項１０】
前記集塵筒は透明材質からなることを特徴とする請求項７に記載の掃除機。
【請求項１１】
前記集塵筒は、シリンダー状をなす掃除機本体の内周面に対応する直径を有する第１の筒部と、前記第１の筒部と段付けされてなり、底面の面積が前記第１の筒部の開口した上面の面積より小になるように形成される第２の筒部を含むことを特徴とする請求項７に記載の掃除機。
【請求項１２】
前記第１の筒部は、前記第２の筒部の一方の壁面を形成する段付けされた部分に使用者が把持可能な凹み溝部を含むことを特徴とする請求項１１に記載の掃除機。
【請求項１３】
前記把手は、その両端が一部折り曲げられて回動軸をなすことを特徴とする請求項７に記載の掃除機。
【請求項１４】
前記把手は、前記集塵筒の外周面に対応する形状に折り曲げられてなるワイヤ部材であることを特徴とする請求項７に記載の掃除機。
【請求項１５】
前記把手は、前記密閉蓋体を閉じる時、前記密閉蓋体の閉じ動作により自動で収納位置に戻ることを特徴とする請求項７に記載の掃除機。
【発明の詳細な説明】
【技術分野】
【０００１】
本発明は掃除機に関し、より詳しくは、集塵筒の密閉時に自動で収納位置に戻る自動戻り把手を有する集塵筒及びこれを備えた掃除機に関する。
【背景技術】
【０００２】
一般に、業務用として使用される掃除機は、家庭用として使用される掃除機に比べて大容量の集塵筒を必要とする。従って、一般に業務用として使用される掃除機は、集塵袋を使用せずに本体自体を集塵筒として使用する場合が多い。この場合、捕集されたごみを捨てるためには、嵩が大きい掃除機本体を吸込モーター部から取り外す必要があるという不便があり、最近では、別途の集塵筒を設けてこれにごみを捕集する仕組みとなっている。
【０００３】
しかし、ごみの捕集のための集塵筒に別途の把手を備えない場合、集塵筒を空にする時、使用者の手が汚れることがある。また、把手を備えた場合であっても、把手が固定されていないと、運搬の途中に集塵筒が揺れ、その内部に捕集されているごみが落ちるおそれがあるという不具合もある。
【発明の開示】
【発明が解決しようとする課題】
【０００４】
本発明は、上記のような問題点を解決するためになされたものであって、その目的は、大容量の掃除機に使用される集塵筒に把手を備え、集塵筒の密閉時、自動で収納位置に戻ることができるように構造が改善された自動戻り把手を有する集塵筒及びこれを備えた掃除機を提供することである。
【課題を解決するための手段】
【０００５】
上記のような目的を達成するための本発明に係る自動戻り把手を有する集塵筒は、集塵筒本体と、前記集塵筒本体に回動自在に取り付けられる把手と、前記把手の回動時、前記把手が摺動することで前記把手を回動軸方向に弾性変形させるガイド傾斜部と、前記ガイド傾斜部に設けられ、前記把手の回動角度を規制する固定リブと、を含むことを特徴とする。
【０００６】
本発明の好適な実施例によると、前記集塵筒本体は、透明材質からなることが好ましい。
【０００７】
そして、前記集塵筒本体は、シリンダー状をなす掃除機本体の内周面に対応する直径を有する第１の筒部と、前記第１の筒部と段付けされてなり、底面の面積が前記第１の筒部の開口した上面の面積より小になるように形成される第２の筒部を含むことができる。
【０００８】
また、前記第２の筒部は、その底面に使用者が把持可能な凹み溝部を含むことができる。
【０００９】
更に、前記把手は、その両端が一部折り曲げられて回動軸をなすことを特徴とする。
【００１０】
そして、前記把手は、前記集塵筒本体の外周面に対応する形状に折り曲げられてなるワイヤ部材であることがよい。
【００１１】
上記のような把手を有する集塵筒を備えた掃除機は、掃除機本体と、前記掃除機本体に着脱自在に収められ、一方に延長管に連結される吸込ポートを備えた上面が開口した集塵筒本体と、前記集塵筒本体に回動自在に取り付けられる把手と、前記把手の回動時、前記把手が摺動することで前記把手をその回動軸方向に弾性変形させるガイド傾斜部と、前記ガイド傾斜部に設けられ、前記把手の回動角度を規制する固定リブと、前記集塵筒本体の開口した上面を塞ぐ密閉蓋体と、を含むことを特徴とする。
【００１２】
このとき、前記掃除機本体は、前記集塵筒が収められる収め部と、掃除機の外部を貫通してなるごみ確認窓を含むことができる。
【００１３】
そして、前記密閉蓋体は、前記掃除機本体に設けられた吸込モーターに一端が連結され、他端は前記集塵筒本体の開口部に連結され、その内部にフィルター部を備え、ごみが前記フィルター部で捕捉されて前記集塵筒に捕集されることが好ましい。
【００１４】
また、前記把手は、前記密閉蓋体を閉じる時、前記密閉蓋体の閉じ動作により自動で収納位置に戻ることが好ましい。
【発明の効果】
【００１５】
上記のような本発明に係る自動戻り把手を有する集塵筒及びこれを備えた掃除機によると、集塵筒に把手と凹み溝部のような汚れていない把持部が提供されるため、より簡便に集塵筒を掃除機本体から取り出すことができ、且つ使用者が集塵筒に捕集されたごみを捨てる時、捕集されたごみにより手が汚れることを防ぐことができる。
【００１６】
また、集塵筒を取り出す時、把手が一定の位置で固定されているため、搬送時に揺れることがないことから、集塵筒の内部に収められているごみが落ちたりすることを防ぐことができる。
【００１７】
そして、集塵筒を掃除機の内部に収める時、把手が自動で収納位置に戻るため、使用者のための便宜性に優れている。
【発明を実施するための最良の形態】
【００１８】
以下では、添付した図面を参照して、本発明の好適な実施例を具体的に説明する。
【実施例】
【００１９】
図１に示すように、本発明に係る大容量の掃除機は、掃除機本体１０と、被掃除面に接して被掃除面の埃及びごみ等を吸い込む吸込ブラシ２０と、前記吸込ブラシ２０が着脱自在に結合される延長管３０と、前記延長管３０と掃除機本体１０とを連結するフレキシブルホース４０と、を含む。
【００２０】
前記掃除機本体１０は、その胴体の内部に着脱自在に収められごみ等を捕集する集塵筒１００が設けられる。前記集塵筒１００には、把手１１０が取り付けられ、前記掃除機本体１０に収められている前記集塵筒１００を使用者がより容易に取り出すことができるようにする。
【００２１】
因みに、前記集塵筒１００は、図２乃至図５に示すように、一方に（側面の一部に）延長管３０に（必要に応じてフレキシブルホース４０を介して）連結される吸込ポートＰを備えた上面が開口した集塵筒本体１０１と、前記集塵筒本体１０１に回動自在に取り付けられる把手１１０と、前記把手１１０の回動時、前記把手１１０が摺動することで前記把手１１０を回動軸方向Ａに弾性変形させるガイド傾斜部１２０、及び前記ガイド傾斜部１２０に設けられ、前記把手１１０の回動角度を拘束する固定リブ１３０と、を含む。
【００２２】
前記集塵筒本体１０１は、その内部が透視可能に透明な材質からなることが好ましく、樹脂材質の成形物で製作されることがよい。そして、前記吸込ポートＰは、ごみが含まれている気流を集塵筒本体１０１の下部に導くための所定のダクト部材（図示せず）を、その出口が集塵筒１００の底面に向かうようにして設けることがよい。
【００２３】
また、前記集塵筒本体１０１は、図５に示すように、シリンダー状をなす掃除機本体１０の内周面に対応する直径を有する第１の筒部１０１ａと、前記第１の筒部１０１ａと段付けされてなり、底面の面積が前記第１の筒部１０１ａの開口した上面の面積より小になるように形成される第２の筒部１０１ｂを含むことがよい。
【００２４】
前記集塵筒本体１０１を、段付けの第１及び第２の筒部１０１ａ、１０１ｂに区分するのは、一般の大容量の掃除機とは異なって、吸込力を発生する真空モーター（吸込モーター、バキューム・モーター）（図示せず）が掃除機本体１０の内部に存在するため、前記真空モーターが設けられた部分と前記集塵筒１００とが干渉することを防ぐためである。従って、前記第２の筒部１０１ｂは、前記第１の筒部１０１ａに比べて小さい体積を有する。
【００２５】
そして、前記第２の筒部１０１ｂは、図６に示すように、その底面に使用者が把持可能な凹み溝部１０２を含むことができる。また、前記第１の筒部１０１ａが、前記第２の筒部１０１ｂの一方の壁面を形成する段付けされた部分に、使用者が把持可能な凹み溝部１０２を含むこともできる。前記凹み溝部１０２は、使用者が捕集されたごみ等をごみ箱等に捨てる時、より容易に集塵筒１００を把持できるようにするためのものである。従って、使用者は、ごみを捨てるために、片手では前記把手１１０を把持し、もう片手では、前記凹み溝部１０２を把持し、より安定した姿勢で前記集塵筒１００の内部に捕集されているごみ等を捨てることができる。
【００２６】
一方、前記把手１１０は、その両端が一部折り曲げられて回動軸１１０ａをなすことが好ましい。このとき、前記回動軸１１０ａは、前記集塵筒１００に設けられている挿入孔１０１ｃに内挿し、回動自在になる。そして、前記把手１１０は、前記集塵筒１００の外周面に対応する形状に折り曲げられてなるワイヤ部材であることが好ましい。従って、前記集塵筒１００が前記掃除機本体１０の内部に設けられた収め部１２に収められると、前記集塵筒１００の外周面と重なり合いながら前記集塵筒１００の開口部１０３より低い位置まで収納される。
【００２７】
前記ガイド傾斜部１２０は、前記把手１１０が取り付けられる回動軸１１０ａの付近に設けられることが好ましい。図示したように、前記集塵筒１００が前記掃除機本体１０の内部に収納される時、前記把手１１０が第１の位置Ｓ１に位置している時は前記把手１１０と前記ガイド傾斜部１２０とが干渉しないが、前記把手１１０が固定される第２の位置Ｓ２に回動していくと、前記把手１１０が前記ガイド傾斜部１２０に沿って摺動しながら、前記把手１１０が回動軸方向Ａに弾性変形される。好ましくは、前記ガイド傾斜部１２０は、前記把手１１０を回動軸方向Ａに弾性変形させるための摺動傾斜部１２１と、後述する固定リブ１３０が設けられた位置に前記把手１１０を固定させるために一定の区間にわたって前記摺動傾斜部１２１の最大高さを維持する摺動平坦部１２２を備える。この摺動平坦部１２２により前記把手１１０は、前記摺動傾斜部１２１で発生した弾性復元力がバランスをとるため、把手１１０の収納位置である第１の位置Ｓ１に働く力によっては前記弾性復元力により自動で前記第１の位置Ｓ１に戻ることができ、その他の力、例えば、使用者が前記集塵筒１００を移動及び取り出す垂直方向に働く力に対しては、把手１１０の位置を固定された状態で維持することが可能である。
【００２８】
前記固定リブ１３０は、前記把手１１０の回動角度αを拘束するためのものであり、前記把手１１０が略９０°程度に回動できるように設けられる。ところで、前記把手１１０は、その収納位置である第１の位置Ｓ１で後述する密閉蓋体１３と干渉することを防ぐために、図５に示すように、所定の角度βに折り曲げられてなるため、前記回動角度αは、９０°より大きい値を有することが好ましい。
【００２９】
一方、前記のような把手１１０を有する集塵筒１００を備えた掃除機は、掃除機本体１０と、前記掃除機本体１０に着脱自在に収められ、一方に延長管に連結される吸込ポートＰを備えた上面が開口した集塵筒１００と、前記集塵筒１００に回動自在に取り付けられる把手１１０と、前記把手１１０の回動時、前記把手１１０が摺動することで前記把手１１０を回動軸方向Ａに弾性変形させるガイド傾斜部１２０と、前記ガイド傾斜部１２０に設けられ、前記把手１１０の回動角度を規制する固定リブ１３０と、前記集塵筒１００の上面に形成された開口部１０３を塞ぐ密閉蓋体１３と、を含むことを特徴とする。
【００３０】
このとき、前記掃除機本体１０は、前記集塵筒１００が収められる収め部１２と、掃除機の外部を貫通してなるごみ確認窓１１を備えることができる。前記ごみ確認窓１１は、透明な材質からなる前記集塵筒１００の内部を外部から確認するためのものである。従って、使用者は、前記ごみ確認窓１１から直接集塵筒１００の内部に捕集されたごみの量を確認することができるため、ごみの捕集量を測定するための別の計測装備が不要になる。
【００３１】
そして、図示してはいないが、前記密閉蓋体１３は、前記掃除機本体１０に設けられた吸込モーター（図示せず）に一端が連結され、他端は前記集塵筒１００の開口部に気密に連結され、その内部にフィルター部材（図示せず）を備えることができる。従って、前記吸込モーターの吸込力により捕集されたごみは、前記フィルター部で捕捉されて前記集塵筒１００の内部に捕集される。
【００３２】
一方、前記把手１１０は、図７に示すように、前記密閉蓋体１３を閉じる時、前記密閉蓋体の閉じ動作により自動で収納位置に戻ることができ、使用者が前記把手１１０を収納位置である第１の位置Ｓ１に戻らせる動作を行うことなく、前記密閉蓋体１３を閉じる動作だけで前記把手１１０を収納位置である第１の位置Ｓ１に戻らせることができ、使用者のための便宜性に優れている。
【００３３】
以上では、本発明を、本発明の原理を説明するための好適な実施例について図示し説明したが、本発明は、そのように図示し説明されたそのままの構成及び作用に限定されるものではなく、却って、添付された特許請求の範囲の思想及び範疇を逸脱することなく、各種の変更及び修正が可能であることを当該発明の属する技術分野における通常の知識を有する者であれば誰でも容易に理解できるはずである。従って、かかるすべての適切な変更及び修正と均等物も本発明の範囲に属することとみなされるべきである。
【産業上の利用可能性】
【００３４】
産業用として使用される大容量の集塵筒を有する掃除機において、前記集塵筒に自動で収納位置に戻ることができる把手を備え、使用者が容易に把持することができ、運搬中に一定の位置で固定可能な自動戻り把手を有する掃除機の集塵筒及びこれを備えた掃除機を提供する。
【図面の簡単な説明】
【００３５】
【図１】本発明に係る掃除機を示す斜視図である。
【図２】本発明に係る掃除機の分解斜視図である。
【図３】図２のガイド傾斜部を拡大して示す斜視図である。
【図４】図３のガイド傾斜部の平面図である。
【図５】本発明に係る自動戻り把手を有する集塵筒の側面図である。
【図６】図５の底面図である。
【図７】本発明に係る自動戻り把手を有する集塵筒の動作状態を示す斜視図である。
【符号の説明】
【００３６】
１０   掃除機本体
１１   ごみ確認窓
１２   収め部
１３   密閉蓋体
１００ 集塵筒
１０１ 集塵筒本体
１０１ａ、１０１ｂ   第１及び第２の筒部
１０２ 凹み溝部
１０３ 開口部
１１０ 把手
１２０ ガイド傾斜部
１２１ 摺動傾斜部
１２２ 摺動平坦部
１３０ 固定リブ
【図１】
2005081142.tif 000003
【図２】
2005081142.tif 000004
【図３】
2005081142.tif 000005
【図４】
2005081142.tif 000006
【図５】
2005081142.tif 000007
【図６】
2005081142.tif 000008
【図７】
2005081142.tif 000009